(57)【要約】【課題】  仮囲いパネルに表面に、殆んど突起物がない状態で照明式表示装置を設け、夜間でも仮囲いの中で施工されている工事業者の名称やマークなど種の事項，事象を表示できるようにした仮囲いパネルを提供すること。【解決手段】  金属製やプラスチック製などの板材により形成した仮囲いパネル１の正面適宜部位を、文字，図形，記号のいずれか又はそれらの組合せにより形成される標章の輪郭に沿って切抜き、該切抜き部の背面に、当該パネル１の厚さ内に収まる厚さの発光体３を配設したこと。【選択図】図１
2005336962.tif 000002
【特許請求の範囲】
【請求項１】
金属製やプラスチック製などの板材により形成した仮囲いパネルの正面適宜部位を、文字，図形，記号のいずれか又はそれらの組合せにより形成される標章の輪郭に沿って切抜き、該切抜き部の背面に、当該パネルの厚さ内に収まる厚さの発光体を配設したことを特徴とする自発光表示部を備えた仮囲いパネル。
【請求項２】
発光体は、当該パネルの厚さ内に収まる厚さの面状発光体である請求項１の自発光表示部を備えた仮囲いパネル。
【請求項３】
金属製やプラスチック製などの板材により形成した仮囲いパネルの正面に、略四角形などの多角形或は円形乃至長円形の穴を表示面として明け、該穴を塞ぐことができる面状発光体であってその前面に文字，図形，記号のいずれか又はそれらを組合せて形成した標章などを形どる不透光性の表示体を設けた面状発光体を、前記穴に装着して成り、前記面状発光体を発光させて前面側の表示体を背後から照明するようにしたことを特徴とする自発光表示部を備えた仮囲いパネル。
【請求項４】
面状発光体が、アクリル樹脂板などの透光性板材の上側又は／及び下側の端面、または、左側又は／及び右側の端面に対向する位置に、当該板材の左右幅或は上下幅と略同等長さの線状光源を配置した構造である請求項１〜３のいずれかの自発光表示部を備えた仮囲いパネル。
【請求項５】
線状光源としては、ライン状の線光源、又は、ＬＥＤなどの点発光体を列状に並べたものを用いた請求項１〜４のいずれかの自発光表示部を備えた仮囲いパネル。
【請求項６】
光源の電源としては、一次電池，二次電池，太陽電池などの各種電池のいずれか、或は、それらを併用した電源、若しくは、外部の交流電源、又は、直流電源を用いるようにした請求項１〜５のいずれかの自発光表示部を備えた仮囲いパネル。
【請求項７】
請求項１〜６のいずれかの自発光表示部を備えた仮囲いパネルは、その複数枚を連続して並べるか、又は、適宜間隔で仮囲いの中に並べた自発光表示部を備えた仮囲いパネル。
【請求項８】
仮囲いの中に並べた複数枚の請求項１〜６のいずれかの自発光表示部を備えた仮囲いパネルは、それらの表示部全体で一つの表示内容を示すようにした請求項７の自発光表示部を備えた仮囲いパネル。
【発明の詳細な説明】
【技術分野】
【０００１】
本発明は工事現場等を囲む仮囲いパネル、より具体的にはパネルの外表面に殆んど突起を生じることなく設けられる照明式表示装置を具備した仮囲いパネルに関する。
【背景技術】
【０００２】
工事現場等においては、周囲に対する安全性や景観上の問題、或は、工事音が周囲へ放散されることを防ぐなどの目的で鋼板などで形成された仮囲いパネルによって施工期間中の工事区域を仮に囲ってしまうことが行われている。
【０００３】
このような仮囲いには、工事業者の名称やマーク（標章）などが印されたものも多いが、その表示はペイントで描いたり、印刷シートをパネルに貼着して行ったものが大半であるため、照明光などが照射されない夜間には遠くからでは殆んど見えないという問題がある。因みに、特許文献１〜４などに開示された仮囲いにも、前記のような問題点がある。
【０００４】
しかし、夜間でも仮囲いに表示された工事業者等の名称やマークなどを始めとする諸々の表示が遠くからでも視認できれば、広告効果や仮囲い周辺の照明効果などの効果が期待できるので、きわめて有用であると考えられる。
【特許文献１】特開平５−９８８０９号公報
【特許文献２】特開２００２−９７７９６号公報
【特許文献３】特開平１１−３０５７０６号公報
【特許文献４】特開平７−１３９１８９号公報
【発明の開示】
【発明が解決しようとする課題】
【０００５】
そこで本発明では、仮囲いパネルに表面に、殆んど突起物がない状態で照明式表示装置を設け、夜間でも仮囲いの中で施工されている工事業者の名称やマークなど種の事項，事象を表示できるようにした仮囲いパネルを提供することを、その課題とするものである。
【課題を解決するための手段】
【０００６】
上記課題を解決することを目的としてなされた本発明仮囲いパネルの第一の構成は、金属製やプラスチック製などの板材により形成した仮囲いパネルの正面適宜部位を、文字，図形，記号のいずれか又はそれらの組合せにより形成される標章の輪郭に沿って切抜き、該切抜き部の背面に、当該パネルの厚さ内に収まる厚さの発光体を配設したことを特徴とするものである。ここでの発光体には、当該パネルの厚さ内に収まる厚さの面状発光体を用いることが望ましい。
【０００７】
上記課題を解決できる本発明仮囲いパネルの別の構成は、金属製やプラスチック製などの板材により形成した仮囲いパネルの正面に、略四角形などの多角形或は円形乃至長円形の穴を表示面として明け、該穴を塞ぐことができる面状発光体であってその前面に文字，図形，記号のいずれか又はそれらを組合せて形成した標章などを形どる不透光性の表示体を設けた面状発光体を、前記穴に装着して成り、前記面状発光体を発光させて前面側の表示体を背後から照明するようにしたことを特徴とするものである。
【０００８】
上記の本発明仮囲いパネルにおける面状発光体は、アクリル樹脂板などの透光性板材による導光板の上下両側又は片側の端面、または、左右両側又は片側の端面に対向させて、当該導光板の左右幅或は上下幅と同等の線状光源を配置した構造とする。また、線状光源としては、チューブ放電管などによるライン状の線光源のほか、ＬＥＤなどの点発光体を列状に並べたものを用いることができる。更に、光源の電源としては、一次電池，二次電池，太陽電池などの各種電池のいずれか、或は、それらを併用した電源のほか、外部の交流電源、又は、直流電源を用いることができる。
【発明の効果】
【０００９】
本発明は、金属製やプラスチック製などの板材により形成した仮囲いパネルの正面適宜部位を、文字，図形，記号のいずれか又はそれらの組合せにより形成される標章の輪郭に沿って切抜き、該切抜き部の背面に、当該パネルの厚さ内に収まる厚さの発光体を配設して仮囲いパネルを形成したので、そのパネルの表面に何らの突起物も生じることなく、背後から照明された表示を実現することができ、従って、仮囲いパネルの使い勝手は従来品と何ら変ることがなく、また、照明された表示により夜間でも遠くから仮囲いされた工事現場の施主などの表示を視認することができる。
【発明を実施するための最良の形態】
【００１０】
次に図を参照して本発明仮囲いパネルの実施の形態例について説明する。図１は本発明仮囲いの一例の正面図、図２は図１のパネルの裏面図、図３は図２のパネルのＡ−Ａ矢視拡大図、図４は本発明仮囲いパネルに取付けた面状発光体の構造を説明するための要部の拡大背面図、図５は図４のＢ−Ｂ矢視において中間省略した断面図である。
【００１１】
図１，図２において、１は鋼板製で縦長の長方形に形成された仮囲いパネルの一例で、左右側がパネル連接用の曲げ部1a，1bに形成されており、この点は公知の仮囲いパネルと同様である。本発明が適用できる仮囲いパネルは、上記の鋼板製パネルのほか、アルミ製パネル，プラスチック製パネルなど、適宜材料による仮囲い用の板状パネルであればよい。
【００１２】
本発明では、上記仮囲いパネル１の正面適宜の位置に、一例として、この仮囲いパネルを使用する施工業者のマーク2aと社名2bを示す輪郭を、例えばレーザー加工機により抜き加工して表示部２を形成し、この表示部２の裏面に面状発光体３を装着することにより、本発明仮囲いパネルの一例を構成している。以下に、面状発光体３の一例について、図３〜図５を参照して説明する。なお、表示部２に形成する表示内容は、上記マーク2aや社名2bに限られるものではなく、任意の形象（例えば、文字，図形，記号，それらの組合せなど）であってもよい。
【００１３】
図３〜図５において、3aと3bは、この面状発光体３の上，下に配設したビーム状をなす上，下フレーム部材で、このフレーム部材3a，3bは、板状の背面プレート3cにより結合一体化されてこの面状発光体のフレームＦを形成し、このフレームＦにおける背面プレート3cの前面側に、線状光源3d，3eとその光源3d，3eの光を導入して面状に放射する導光板3fとが配設されることにより面状発光体３の一例に形成されている。
【００１４】
線状光源3dと3eは、多数の白色ＬＥＤ31dと31eが一列に設けられたケーシング32dと32eを、前記ＬＥＤの光放射側をアクリル製の導光板3fの上下端面に対向させた向きで、夫々のケーシング32dと32eの溝を前記端面に嵌合させることにより、矩形の導光板3fの上，下端面に取付けられている。なお、線状光源3dと3eは導光板3fの左右側端面に設けてもよい。また、いずれかの側の一つの端面に設けるだけの場合、或は、導光板3fの三つの側端面、或は、全周に設ける場合もある。
【００１５】
線状光源3dと3eを上下の端面に具備した導光板3fは、その前面側の上，下部にアルミチャンネル材などにより形成した断面略コ字状をなす横長のマウント台31f，32fが設けられ、このマウント台31f，32fの足を背面プレート3cの前面に固定することによって、フレームＦにおける背面プレート3cの前面に架装されており、これにより面状発光体３の一例を形成している。なお、上記導光板3fには、その前面に、カバー材となる透明カバー板3gが装着されている。
【００１６】
上記面状発光体３は、その上下フレーム部材3a，3bの左右の両外端面を、仮囲いパネル１の曲げ部1a，1bの内面に、カシメｋなどにより止着することにより本発明の平面状の自発光部を備えた仮囲いパネルの一例に形成される。なお、図４において、3kは線状光源3dと3eへ接続された電源ケーブル、3iは電源ケーブル3hが接続されたＡＣ／ＤＣコンバータ、3jは前記コンバータ3iに接続された電源入力ケーブルである。
【００１７】
上記の面状発光体３において、その上下のフレーム部材3a，3bの長さは、仮囲いパネル１の裏面において、曲げ部1a，1bの内側に収まる大きさであり、また、背面プレート3cが形成するこの発光体３の厚さも当該パネル１の厚さの内側に収まる大きさであるから、この面状発光体３を備えた仮囲いパネル１は、そのパネル１の左右幅と厚みから面状発光体３が突出することがない。
【００１８】
本発明では、上記パネル１に形成した透光性の表示部２の背面に面状発光体３が当てがうことにより自発光表示部を備えた仮囲いパネルの一例を形成したので、このパネル１を使用した仮囲いについては、夜間に線状光源3dと3eを点灯すると、その光は導光板3fにおいて面状に拡散して表示部２を背後から照明することとなり、夜間において表示部２のマーク2aと社名2bとが遠方からでもよく視認することができることになる。
【００１９】
上述した本発明仮囲いパネルにおける面状発光体３の電源は、通常の電池等による直流電源又は交流電源を用いるが、太陽電池を電源とすることにより省エネルギ的になる。即ち、仮囲いされる工事現場等は屋外であるから、このパネル１の背面適宜の位置に太陽電池パネル（図示せず）を設置してその起電力を利用して上記の線状光源3d，3eを点灯させるようにすれば、外部から電力線を引込む必要がなくなる。
【００２０】
上記の例では、仮囲いパネル１に直接、マーク2aや社名2bなどの輪郭を抜き取って表示部２としたが、本発明仮囲いパネル１では、面状発光体３を設置するパネル１の前面に、当該発光体３の発光面に合せた大きさ、或は、それより少し小さ目の大きさの穴（図示せず）を明け、この面状発光体３の発光面を前記穴に当てがうように当該発光体３を設け、パネル前面に露出する面状発光体３の発光面（上記例の導光板3f）の前面に、上記マーク2aや社名2bなどの表示部２を形成した遮光性のシートや板などによる表示体を貼着などにより設ければ、上記例の場合と同様に背面から表示体の表示部２が照明される仮囲いパネル１を実現することができる。
【産業上の利用可能性】
【００２１】
本発明は以上の通りであって、パネルに文字，図形，記号のいずれか又はそれらの組合せにより形成される標章の輪郭に沿って切抜き、該切抜き部の背面に、当該パネルの厚さにほぼ収まる厚さの発光体を配設することにより自発光表示部を有する仮囲いパネルを形成したので、このパネルを用いた仮囲いは夜間に前記発光体を点灯することにより遠方からでも、仮囲いの中の工事現場の名称や、工事業者の名称やマークなど、様々な表示を視認させることが可能になるので、ＰＲ効果は絶大であり、また、仮囲いの周囲では、工事現場回りの夜間照明としての役割も果すので、防犯面や安全面においても利点がある。
【図面の簡単な説明】
【００２２】
【図１】本発明仮囲いの一例の正面図。
【図２】図１のパネルの裏面図。
【図３】図２のパネルのＡ−Ａ矢視拡大図。
【図４】本発明仮囲いパネルに取付けた面状発光体の構造を説明するための要部の拡大背面図。
【図５】図４のＢ−Ｂ矢視において中間省略した断面図。
【符号の説明】
【００２３】
１        仮囲いパネル
1a，1b    連接用の曲げ部
２        表示部
３        面状発光体
3a，3b    上，下フレーム部材
3c        背面プレート
3d，3e    線状光源
3f        導光板
3g        透明カバー板
3h        電源ケーブル
3i        コンバータ
3j        入力ケーブル
【図１】
2005336962.tif 000003
【図２】
2005336962.tif 000004
【図３】
2005336962.tif 000005
【図４】
2005336962.tif 000006
【図５】
2005336962.tif 000007